(57)【要約】【課題】ＭＦＰを使用した検品システムでは、ユーザが印刷結果を手動で入れ替える必要があり、非常に手間がかかった。【解決手段】ＭＦＰで、印字物をスキャナで読み取り、ＭＦＰ内に残してある印刷データと同一であるか否かを比較し、ＮＧと判断されたらスタンプを押してＮＧであることを示し、比較終了後にスキャン後の印刷物と同一のページ向き、順番を考慮して再印刷を行う手段を有し、スキャンした印刷物と、再印刷された印刷物をそのまま設置すれば、ＮＧのスタンプが押された用紙を再印刷された用紙に置き換えてくれるＭｅｒｇｅｒを有する。【選択図】  図５
2012083449.tif 000002
【特許請求の範囲】
【請求項１】
印字データを印刷する印刷手段（Ｓ３０４）と、
前記印刷手段で印刷した原稿を読み取る読取手段（Ｓ３０８）と、
前記印刷手段で印刷を行うために印刷データから生成した画像と前記読取手段で読み取った画像を比較する画像比較手段（Ｓ３０８）と、
前記画像比較手段で画像が異なる（＝ＮＧ）と判断された場合のＮＧ処理手段（Ｓ３１１）と、
前記ＮＧ処理手段でＮＧと判断された画像を再印刷する際に、スキャナの排紙特性を考慮して、再印刷のページの向き、順番を調整する印刷順／向き調整手段（Ｓ３１３）と、
を有する多機能プリンタを用いた検品システムであって、
前記ＮＧ処理手段でＮＧと判断したページを検知するＮＧページ検知手段（Ｓ６０４）と、
前記ＮＧページ検知手段の判断結果に応じて用紙の排紙先、用紙の給紙を制御する用紙制御手段（Ｓ６０６〜Ｓ６０９）と、
を有することを特徴とする多機能プリンタを用いた検品システム。
【発明の詳細な説明】
【技術分野】
【０００１】
本発明は、多機能プリンタであるＭＦＰ（Ｍｕｌｔｉ  Ｆｕｎｃｔｉｏｎ  Ｐｒｉｎｔｅｒ）で検品を行う時に生じる検品不合格用紙の差し替えに関する物である。
【背景技術】
【０００２】
昨今のＰＯＤ（Ｐｒｉｎｔ  Ｏｎ  Ｄｅｍａｎｄ）分野へのＭＦＰ機の参入が相次いでいる。これに伴いＭＦＰ機を利用した検品システムが提案されている（特許文献１）。しかしながら、ＭＦＰ機を利用した検品システムでは、検品のためにスキャンした印刷物と、印刷不良が検知され再印刷を行った成果物を自動マージすることが、ＭＦＰの機構上困難である。このため、特許文献１の様に印刷不良画像を再印刷して、ユーザが手で該当ページを探して用紙の入れ替えを行うか、スキャンして、印刷不良が検知された時点でスキャン処理が止まり、その都度ユーザが再印刷物を指示していた。
【先行技術文献】
【特許文献】
【０００３】
【特許文献１】特開２００７−８９０９５号公報
【発明の概要】
【発明が解決しようとする課題】
【０００４】
先行技術では、どちらの技術でもユーザが印刷結果を手動で入れ替える必要があり、更に、枚数をカウントして再印刷の結果を置き換える検品中はＭＦＰの前に張り付いていて、検品を再開する必要があり、非常に手間がかかるという問題が存在した。
【課題を解決するための手段】
【０００５】
本発明に係わる多機能プリンタを用いた検品システムの代表的な構成は、印字データを印刷する印刷手段（Ｓ３０４）と、前記印刷手段で印刷した原稿を読み取る読取手段（Ｓ３０８）と、前記印刷手段で印刷を行うために印刷データから生成した画像と前記読取手段で読み取った画像を比較する画像比較手段（Ｓ３０８）と、前記画像比較手段で画像が異なる（＝ＮＧ）と判断された場合のＮＧ処理手段（Ｓ３１１）と、前記ＮＧ処理手段でＮＧと判断された画像を再印刷する際に、スキャナの排紙特性を考慮して、再印刷のページの向き、順番を調整する印刷順／向き調整手段（Ｓ３１３）と、を有する多機能プリンタを用いた検品システムであって、前記ＮＧ処理手段でＮＧと判断したページを検知するＮＧページ検知手段（Ｓ６０４）と、前記ＮＧページ検知手段の判断結果に応じて用紙の排紙先、用紙の給紙を制御する用紙制御手段（Ｓ６０６〜Ｓ６０９）と、を有することを特徴とする
【発明の効果】
【０００６】
既存のＭＦＰ機と安価なオフライン結合機で簡便に検品結果のマージを高速に実現するシステムを提案することが可能となる。
【図面の簡単な説明】
【０００７】
【図１】本発明に適応されるシステムのハードウェア構成図である。
【図２】本発明におけるソフトウェアモジュールの構成図である。
【図３】本発明におけるフローチャートである。
【図４】本発明に適応されるシステムのハードウェア構成図である。
【図５】本発明におけるソフトウェアモジュールの構成図である。
【図６】本発明におけるフローチャートである。
【図７】本発明におけるフローチャートである。
【発明を実施するための形態】
【０００８】
以下、本発明を実施するための最良の形態について図面を用いて説明する。
【０００９】
《第１の実施形態》
図１は本発明に適応されるＭＦＰのハードウェア構成図である。１０１はＭＦＰ（Ｍｕｌｔｉ  Ｆｕｎｃｔｉｏｎ  Ｐｒｉｎｔｅｒ）である。１０２はＣＰＵであり、図２以降で説明するソフトウェアは全てこの上で動作する。１０３はＲＡＭであり、ＣＰＵ（１０２）で動作するソフトウェアがデータ保存や自分自身の動作のために使用する。１０４はＨＤＤであり、ソフトウェアなどを保存する。１０５は通信インターフェイスであり、ＰＣからＰＤＬデータを受信する。１０６はＭＦＰへの設定を行ったり、状態を表示したりするＵＩ（Ｕｓｅｒ  Ｉ／Ｆ）である。１０７は原稿を読み取るスキャナである。１０８はスキャナ（１０７）の給紙トレイである。１０９はスキャナ（１０７）の排紙トレイである。１１０はプリンタエンジンである。１１１はプリンタエンジン（１１０）への給紙トレイである。１１２はプリンタエンジン（１１０）の排紙トレイである。
【００１０】
図２、図３で説明するソフトウェアはＲＡＭ（１０３）、ＨＤＤ（１０４）に記憶され、ＣＰＵ（１０２）上で動作する。
【００１１】
図２は本発明におけるＭＦＰのソフトウェアモジュールの構成図である。２０１はＰＤＬインタープリタである。２０２はＰＤＬインタープリタ（２０１）がレンダリングした結果、生成されるビットマップ画像である。２０３は印刷制御部である。２０４はスキャナ給紙トレイ（１０８）、スキャナ（１０７）を制御するスキャナ制御部である。２０５は検品部である。２０６はビットマップ画像（２０２）の再印刷を司る再印刷制御部である。
【００１２】
図３は本発明におけるＭＦＰ側のＰＤＬジョブの処理（印刷、検品、再印刷）を説明しているフローチャートである。ＭＦＰ（１０１）は、通信インターフェイス（１０５）を通じてＰＤＬデータを受信する（Ｓ３０２）。受信したＰＤＬデータをＰＤＬインタープリタ（２０１）がレンダリングし、ビットマップ画像（２０２）を作成し、印刷制御部（２０３）にレンダリング完了を通知する（Ｓ３０３）。印刷制御部（２０３）はビットマップ画像（２０２）を印刷する（Ｓ３０４）。
【００１３】
ユーザは、プリンタエンジン（１１０）の排紙トレイ（１１１）に排紙された印字結果をスキャナ（１０７）の給紙トレイ（１０８）に給紙して（Ｓ３０５）、ＵＩ（１０６）から検品の指示を与える（Ｓ３０６）。
【００１４】
Ｓ３０６が実施されるとＭＦＰ（１０１）内では、ユーザからの指示が検品部（２０５）へ通知され、検品部（２０５）はスキャナ制御部（２０４）に給紙を指示する。スキャナ制御部（２０４）はスキャナ（１０７）の給紙トレイ（１０８）から給紙を試みる（Ｓ３０７）。Ｓ３０７で給紙が可能であったならば、スキャナ制御部（２０４）はスキャンを実行して、スキャン結果を検品部（２０５）に送付する（Ｓ３０８）。
【００１５】
検品部（２０５）はスキャン結果とビットマップ画像（２０２）を比較する（Ｓ３０９）。検品部（２０５）は、画像が異なると判断すれば（Ｓ３１０）、そのページの情報を再印刷するためのＮＧリストに追加し、ＮＧ原稿に「（ＦＡＸ機能で使用されている）済みスタンプ」を押すようにスキャナ制御部（２０４）に依頼する（Ｓ３１１）。Ｓ３０７で給紙ができなければ、スキャナ制御部（２０４）は検品すべき印字結果が無いと判断し、その旨を検品部（２０５）に通知する。
【００１６】
検品すべき印字結果が無いと通知された検品部（２０５）は、ＮＧリストを再印刷制御部（２０６）に通知して再印刷を依頼する。通知を受けた再印刷制御部（２０６）は、スキャナ制御部（２０４）にスキャナ（１０７）の特性を問い合わせる（Ｓ３１２）。スキャナの特性とは、排紙トレイ（１０９）に排紙する際の用紙向き情報である。再印刷制御部（２０６）は取得した情報を元にＮＧリストに登録されたページの印刷順（正順印刷／逆順印刷、ＦａｃｅＵｐ排紙／ＦａｃｅＤｏｗｎ排紙）を調整し（Ｓ３１３）、印刷する（Ｓ３１４）。
【００１７】
図４は本発明に適応されるＭｅｒｇｅｒのハードウェア構成図である。４０１はＭｅｒｇｅｒである。４０２は操作パネルである。４０３は検品した原稿を給紙する検品済原稿給紙トレイである。４０４は再印刷した原稿を給紙する再印刷原稿給紙トレイである。４０５はマージした原稿を排紙する最終成果物原稿排紙トレイである。４０６はＮＧと判断され、済スタンプが押されている原稿を排紙するＮＧ原稿排紙トレイである。４０７はコントローラーボードである。コントローラーボード上に、ＣＰＵ（４０８）、ＲＯＭ（４０９）、済スタンプを検知するセンサー（のコントローラー）（４１０）、検品済原稿給紙トレイ（４０３）、再印刷原稿給紙トレイ（４０４）から給紙された用紙を、最終成果物原稿排紙トレイ（４０５）、ＮＧ原稿排紙トレイ（４０７）のいずれに排紙するかを切り替えるスイッチャ（のコントローラ）（４１１）が搭載されている。図５、図６で説明するソフトウェアはＲＯＭ（４０９）に記憶され、ＣＰＵ（４０８）上で動作する。
【００１８】
図５は本発明におけるＭｅｒｇｅｒのソフトウェアモジュールの構成図である。５０１はＭｅｒｇｅｒ制御部である。５０２は検品済原稿制御部である。５０３は再印刷原稿制御部である。５０４はＳｅｎｃｅｒ制御部である。５０５はＳｗｉｔｃｈｅｒ制御部である。
【００１９】
図６は本発明におけるＭｅｒｇｅｒ側の処理を説明しているフローチャートである。ユーザは検品した原稿を検品済原稿給紙トレイ（４０３）、再印刷原稿給紙トレイ（４０４）に給紙し、操作パネル（４０２）から原稿のマージを指示する。
【００２０】
指示はＭｅｒｇｅｒ制御部（５０１）に通知され。Ｍｅｒｇｅｒ制御部（５０１）は検知済原稿制御部（５０２）に原稿の給紙を要求する（Ｓ６０１）。検知済原稿制御部（５０２）は原稿の給紙を試み、成功の有無をＭｅｒｇｅｒ制御部（５０１）に通知する（Ｓ６０２）。Ｍｅｒｇｅｒ制御部（５０１）は、原稿が給紙できなかった場合は、処理を完了する（Ｓ６０３）。
【００２１】
Ｍｅｒｇｅｒ制御部（５０１）は、原稿が給紙できた場合、Ｓｅｎｃｅｒ制御部（５０４）に済スタンプの検知を依頼する（Ｓ６０４）。Ｍｅｒｇｅｒ制御部（５０１）は、Ｓｅｎｃｅｒ制御部（５０４）から済スタンプ無しの通知を受けた場合（Ｓ６０５）は、Ｓｗｉｔｃｈｅｒ制御部（５０５）に給紙した用紙を最終成果物原稿排紙トレイ（４０５）に排紙するようにスイッチングするように通知する（Ｓ６０６）。Ｍｅｒｇｅｒ制御部（５０１）は、Ｓｅｎｃｅｒ制御部（５０４）から済スタンプ有りの通知を受けた場合（Ｓ６０５）は、Ｓｗｉｔｃｈｅｒ制御部（５０５）に給紙した用紙をＮＧ原稿排紙トレイ（４０６）に排紙するようにスイッチングするように通知する（Ｓ６０７）。
【００２２】
Ｍｅｒｇｅｒ制御部（５０１）は、再印刷原稿制御部（５０３）に再印刷原稿給紙トレイ（４０４）から給紙をするように通知し（Ｓ６０８）、Ｓｗｉｔｃｈｅｒ制御部（５０５）に給紙した用紙を最終成果物原稿排紙トレイ（４０５）に排紙するようにスイッチングするように通知する（Ｓ６０９）。以上の処理をＳ６０２から用紙がなくなるまで行う。
【００２３】
《第２の実施形態》
第１の実施形態ではＰＤＬジョブの検品方法について記載したが、Ｃｏｐｙジョブについても本発明が適応可能であることは言うまでもない。図７のフローチャートを使用して、差分となる部分を説明する。
【００２４】
ＭＦＰ（１０１）は、スキャナ（１０７）を通じてスキャナ制御部（２０４）がビットマップ画像（２０２）を読み取り、読取が終了したら印刷制御部（２０３）に読み取り終了を通知する（Ｓ７０２）。Ｓ３０４移行の処理は図３と同等である。
【符号の説明】
【００２５】
５０１・・Ｍｅｒｇｅｒ制御部、５０２・・検品済原稿制御部、５０３・・再印刷原稿制御部、５０４・・Ｓｅｎｃｅｒ制御部、５０５・・Ｓｗｉｔｃｈｅｒ制御部
【図１】
2012083449.tif 000003
【図２】
2012083449.tif 000004
【図３】
2012083449.tif 000005
【図４】
2012083449.tif 000006
【図５】
2012083449.tif 000007
【図６】
2012083449.tif 000008
【図７】
2012083449.tif 000009